(57)【特許請求の範囲】
【請求項１】
第１の表示部に表示されている操作対象のうちのテキスト入力欄を選択する操作が行われると、当該テキスト入力欄を第２の表示部に表示させる情報とする第１の制御部と、
上記第２の表示部に表示させる情報とされた上記テキスト入力欄を上記第２の表示部に表示させるための制御情報を、当該第２の表示部を有する第２の装置に送信する第１の通信部と
を有する第１の装置と、
上記第１の装置から送信されてくる制御情報を受信する第２の通信部と、
上記第２の通信部により受信された制御情報に基づいて、上記第２の表示部に表示する情報とされた上記テキスト入力欄を当該第２の表示部に表示させる第２の制御部と
を有する第２の装置と
を具え、
上記第２の装置は、
上記第２の制御部が、上記テキスト入力欄を上記第２の表示部に表示させた後、所定の入力部を介して入力されたテキストを、そのまま当該テキスト入力欄に表示させ、上記第２の通信部が、所定の入力部を介して入力されたテキストを示す入力テキスト情報を、上記第１の装置に送信し、
上記第１の装置は、
上記テキスト入力欄に入力するテキストが秘匿情報でない場合、上記第１の通信部が上記入力テキスト情報を受信すると、上記第１の制御部が、当該入力テキスト情報に示されたテキストを、そのまま上記第１の表示部に表示されているテキスト入力欄に表示させ、上記テキスト入力欄に入力するテキストが秘匿情報である場合、上記第１の通信部が上記入力テキスト情報を受信すると、上記第１の制御部が、当該入力テキスト情報に示されたテキストを、上記第１の表示部に表示されているテキスト入力欄に確認できない状態で表示させる
情報処理システム。
【請求項２】
上記第１の装置は、
上記第１の制御部が、上記第１の表示部に表示されている操作対象のうちの追加情報表示ボタンを押下する操作が行われると、当該操作に応じて追加表示する追加表示情報を、上記第２の表示部に表示させる情報とし、
上記第１の通信部が、上記追加表示情報を上記第２の表示部に表示させるための制御情報を、当該第２の表示部を有する第２の装置に送信し、
上記第２の装置は、
上記第２の制御部が、上記第２の通信部により受信された制御情報に基づいて、上記第２の表示部に表示する情報とされた上記追加表示情報を当該第２の表示部に表示させる
請求項１に記載の情報処理システム。
【請求項３】
上記第１の装置は、
上記第１の制御部が、上記第１の表示部に表示されている操作対象のうちの表示内容更新ボタンを押下する操作が行われると、上記第２の表示部に表示させる情報を無しとし、上記第１の表示部の表示内容を更新する
請求項１に記載の情報処理システム。
【請求項４】
上記第１の装置は、
上記第１の制御部が、上記第１の表示部に表示されているテキスト入力欄を選択する操作が行われると、当該第１の表示部に、当該テキスト入力欄が画面から飛び出していくようなアニメーションを表示させ、
上記第２の装置は、
上記第２の通信部により上記制御情報が受信されると、上記第２の制御部が、当該制御情報に基づいて、上記第２の表示部に、上記テキスト入力欄が画面に飛び込んでくるようなアニメーションを表示させる
請求項１に記載の情報処理システム。
【請求項５】
第１の装置の第１の制御部が、当該第１の装置の第１の表示部に表示されている操作対象のうちのテキスト入力欄を選択する操作が行われると、当該テキスト入力欄を第２の表示部に表示させる情報とし、
上記第１の装置の第１の通信部が、上記第２の表示部に表示させる情報とされた上記テキスト入力欄を上記第２の表示部に表示させるための制御情報を、当該第２の表示部を有する第２の装置に送信し、
第２の装置の第２の通信部が、上記第１の装置から送信されてくる制御情報を受信し、上記第２の装置の第２の制御部が、上記第２の通信部により受信された制御情報に基づいて、上記第２の表示部に表示する情報とされた上記テキスト入力欄を当該第２の表示部に表示させ、その後、所定の入力部を介して入力されたテキストを、そのまま当該テキスト入力欄に表示させ、
上記第２の通信部が、上記所定の入力部を介して入力されたテキストを示す入力テキスト情報を、上記第１の装置に送信し、
上記テキスト入力欄に入力するテキストが秘匿情報でない場合、上記第１の通信部が上記入力テキスト情報を受信すると、上記第１の制御部が、当該入力テキスト情報に示されたテキストを、そのまま上記第１の表示部に表示されているテキスト入力欄に表示させ、上記テキスト入力欄に入力するテキストが秘匿情報である場合、上記第１の通信部が上記入力テキスト情報を受信すると、上記第１の制御部が、当該入力テキスト情報に示されたテキストを、上記第１の表示部に表示されているテキスト入力欄に確認できない状態で表示させる
情報処理方法。
【発明の詳細な説明】
【技術分野】
【０００１】
本発明は、情報処理システム及び情報処理方法に関し、例えば、複数の表示部に対して情報を表示させる情報処理システムに適用して好適なものである。
【背景技術】
【０００２】
近年、操作部と表示部を兼ねたタッチスクリーンを有する情報処理装置が広く普及しており、このような情報処理装置として、例えば、テレビジョン受像機（これをＴＶ受像機とも呼ぶ）のリモートコントローラ（これをリモコンとも呼ぶ）がある。
【０００３】
このようなタッチスクリーン付きのリモコンでは、タッチスクリーンに対するタッチ操作によりＴＶ受像機を操作できるばかりでなく、様々な情報をタッチスクリーンに表示してユーザに確認させることができるようになっている。
【０００４】
例えば、ＴＶ受像機から番組表のデータを取得して、このデータをもとにタッチスクリーンに番組表を表示することにより、手元で番組表を確認しながら視聴又は録画する番組を選択できるようにしたリモコンが提案されている。（例えば、特許文献１参照）。
【０００５】
このリモコンは、タッチスクリーンに対するタッチ操作により番組表を表示するよう指示されると、ＴＶ受像機から番組表のデータを取得して、このデータをもとに、タッチスクリーンに番組表を表示させるようになっている。
【先行技術文献】
【特許文献】
【０００６】
【特許文献１】特開２００３−３２５０９公報
【発明の概要】
【発明が解決しようとする課題】
【０００７】
ところで、上述したようなタッチスクリーン付きのリモコンと、ＴＶ受像機とで構成されるシステムの場合、システム全体として、複数の表示部（リモコンのタッチスクリーンとＴＶ受像機の表示部）を有していることになる。
【０００８】
このようなシステムでは、従来、複数の表示部を有効利用するために、システムを構成するハードウェアからシステム上で動作するアプリケーションまでを含めたシステム全体の中で、どの情報をどの表示部に表示させるのかが決められている。
【０００９】
このため、このような従来のシステムで、例えば、複数の表示部を利用して表示することを想定していない情報（例えばＷｅｂページ）をシステムの外部から取得して表示するような場合、複数の表示部を有効利用することができなかった。
【００１０】
このように、従来のシステムでは、複数の表示部を有効利用できない場合があり、この点が改善されれば、ユーザにとって、より使い易いものになると考えられる。
【００１１】
本発明は以上の点を考慮してなされたもので、従来と比して一段と使い易い情報処理システム及び情報処理方法を提案しようとするものである。
【課題を解決するための手段】
【００１２】
かかる課題を解決するため本発明においては、第１の表示部に表示されている操作対象のうちのテキスト入力欄を選択する操作が行われると、当該テキスト入力欄を第２の表示部に表示させる情報とする第１の制御部と、第２の表示部に表示させる情報とされたテキスト入力欄を第２の表示部に表示させるための制御情報を、当該第２の表示部を有する第２の装置に送信する第１の通信部とを有する第１の装置と、第１の装置から送信されてくる制御情報を受信する第２の通信部と、第２の通信部により受信された制御情報に基づいて、第２の表示部に表示する情報とされたテキスト入力欄を当該第２の表示部に表示させる第２の制御部とを有する第２の装置とを設け、第２の装置は、第２の制御部が、テキスト入力欄を第２の表示部に表示させた後、所定の入力部を介して入力されたテキストを、そのまま当該テキスト入力欄に表示させ、第２の通信部が、所定の入力部を介して入力されたテキストを示す入力テキスト情報を、第１の装置に送信し、第１の装置は、テキスト入力欄に入力するテキストが秘匿情報でない場合、第１の通信部が入力テキスト情報を受信すると、第１の制御部が、当該入力テキスト情報に示されたテキストを、そのまま第１の表示部に表示されているテキスト入力欄に表示させ、テキスト入力欄に入力するテキストが秘匿情報である場合、第１の通信部が入力テキスト情報を受信すると、第１の制御部が、当該入力テキスト情報に示されたテキストを、第１の表示部に表示されているテキスト入力欄に確認できない状態で表示させるようにした。
【００１３】
このように、第１の装置の第１の表示部に表示されている操作対象としてのテキスト入力欄を選択する操作が行われると、このテキスト入力欄を第２の装置の第２の表示部に表示させる情報として、当該第２の表示部に表示させ、第２の装置でテキストを入力させるようにした。
【００１４】
こうすることで、例えば、１つの表示部に表示することを想定して作られているＷｅｂページなどに含まれるテキスト入力欄を表示するような場合でも、第１の表示部と第２の表示部の複数の表示部を有効に利用してこのテキスト入力欄を表示させることができる。
【発明の効果】
【００１５】
本発明によれば、１つの表示部に表示することを想定して作られているＷｅｂページなどに含まれるテキスト入力欄を表示するような場合でも、第１の表示部と第２の表示部の複数の表示部を有効に利用してこのテキスト入力欄を表示させることができる。かくして、従来と比して一段と使い易い情報処理システム及び情報処理方法を実現することができる。
【図面の簡単な説明】
【００１６】
【図１】実施の形態の概要となる情報処理システムの機能構成を示すブロック図である。
【図２】ＴＶシステムの構成を示す略線図である。
【図３】ＴＶ受像機のハードウェア構成を示すブロック図である。
【図４】リモコンのハードウェア構成を示すブロック図である。
【図５】ＴＶ画面に表示したＷｅｂページを示す略線図である。
【図６】２画面を利用した表示例（１）の説明にともなう略線図である。
【図７】２画面を利用した表示例（２）の説明にともなう略線図である。
【図８】２画面を利用した表示例（３）の説明にともなう略線図である。
【図９】２画面表示処理手順の概要を示すフローチャートである。
【図１０】２画面表示処理手順の詳細を示すフローチャートである。
【図１１】図１０に示すフローチャートにつづくフローチャートである。
【図１２】２画面を利用した他の表示例（１）の説明にともなう略線図である。
【図１３】２画面を利用した他の表示例（２）の説明にともなう略線図である。
【発明を実施するための形態】
【００１７】
以下、発明を実施するための最良の形態（以下実施の形態とする）について説明する。尚、説明は以下の順序で行う。
１．実施の形態の概要
２．実施の形態の具体例
３．実施の形態の変形例
【００１８】
＜１．実施の形態の概要＞
まず、実施の形態の概要を説明する。因みに、この概要を説明した後、実施の形態の具体例の説明に移り、最後に実施の形態の変形例を説明する。
【００１９】
図１において１は、情報処理システムを示す。この情報処理システム１は、第１の表示部２を有する第１の装置３と、第２の表示部４を有する第２の装置５とで構成される。尚、第１の表示部２は、第１の装置３に設けられていてもよいし、接続されるようになっていてもよい。同様に、第２の表示部４も、第２の装置５に設けられていてもよいし、接続されるようになっていてもよい。
【００２０】
さらに第１の装置３には、第１の表示部２に表示されている操作対象が操作されると、当該操作対象の属性に基づいて、第２の表示部４に表示させる情報を決定する制御部６が設けられている。さらに第１の装置３には、制御部６により決定された情報を第２の表示部４に表示させるための制御情報を、当該第２の表示部４を有する第２の装置５に送信する通信部７が設けられている。
【００２１】
一方、第２の装置５には、第１の装置３から送信されてくる制御情報を受信する通信部８と、通信部８により受信された制御情報に基づいて、第２の表示部４に表示するよう決定された情報を第２の表示部４に表示させる制御部９とが設けられている。
【００２２】
このように、情報処理システム１では、第１の表示部２に表示されている操作対象が操作されると、その都度、第１の装置３が、この操作対象の属性に基づいて、第２の表示部４に表示させる情報を決定するようにした。
【００２３】
こうすることで、例えば、１つの表示部に表示することを想定して作られている情報を表示するような場合でも、第１の表示部２に表示されている操作対象の属性をもとに、第２の表示部４に表示する情報を決定して、この情報を第２の表示部に表示させることができる。
【００２４】
具体的に、第１の装置３の制御部６は、第１の表示部２に表示されているテキスト入力欄を選択する操作が行われると、当該テキスト入力欄を、上記第２の表示部４に表示させる情報とする。そして、第１の装置３の通信部７が、テキスト入力欄を第２の表示部４に表示させるための制御情報を、第２の装置５に送信する。この結果、第２の装置５によって、第２の表示部４にテキスト入力欄が表示され、テキスト入力可能な状態となる。
【００２５】
さらに第１の装置３の通信部７は、制御情報を送信した後、第２の装置５から送信されてくる、入力されたテキストを示す入力テキスト情報を受信する。そして第１の装置３の制御部６は、この入力テキスト情報に示されたテキストを、第１の表示部２に表示されているテキスト入力欄に表示させる。
【００２６】
ここで、第１の装置３の制御部６は、第１の表示部２に表示されているテキスト入力欄に入力するテキストが秘匿情報である場合、受信した入力テキスト情報に示されたテキストを、第１の表示部２に表示されているテキスト入力欄に確認できない状態で表示させるようにしてもよい。
【００２７】
さらに第１の装置３の制御部６は、第１の表示部２に表示されている追加情報表示ボタンを押下する操作が行われると、当該操作に応じて追加表示する追加表示情報を、第２の表示部４に表示させる情報とする。そして、第１の装置３の通信部７が、追加表示情報を第２の表示部４に表示させるための制御情報を、第２の装置５に送信する。この結果、第２の装置５によって、第２の表示部４に追加表示情報が表示される。
【００２８】
さらに、第１の装置３の制御部６は、第１の表示部２に表示されている表示内容更新ボタンを押下する操作が行われると、第２の表示部４に表示させる情報を無しとし、第１の表示部２の表示内容を更新する。
【００２９】
さらに、第１の装置３の制御部６は、第２の表示部４に表示させる情報を決定すると、第１の表示部２に、第２の表示部４に表示するよう決定した情報が画面から飛び出していくようなアニメーションを表示させる。
【００３０】
さらに、第２の装置５の制御部９は、第１の装置３から送信されてくる制御情報を受信すると、この制御情報に基づいて、第２の表示部４に、当該第２の表示部４に表示するよう決定された情報が画面に飛び込んでくるようなアニメーションを表示させる。
【００３１】
このような構成でなる情報処理システム１の具体例について、以下、詳しく説明する。
【００３２】
＜２．実施の形態の具体例＞
［２−１．携帯端末の外観構成］
次に、本実施の形態の具体例について説明する。まず図２を用いて、上述した第１の装置の具体例であるＴＶ受像機１００と、第２の装置の具体例であるリモコン１０１とからなるＴＶシステム１０２のシステム構成について説明する。
【００３３】
このＴＶシステム１０２のＴＶ受像機１００は、ＴＶ放送受信機能にくわえてインターネット接続機能を有している。
【００３４】
実際、ＴＶ受像機１００は、アンテナ（図示せず）を介してＴＶ放送信号を受信する。そしてＴＶ受像機１００は、受信したＴＶ放送信号からＴＶ放送の映像と音声を抽出し、映像をディスプレイ１００Ａに表示させ、音声をスピーカ１００Ｂから出力する。このようにしてＴＶ受像機１００は、ユーザにＴＶ放送を視聴させ得るようになっている。
【００３５】
またこのＴＶ受像機１００は、ルータ（図示せず）を介してインターネットに接続される。そしてＴＶ受像機１００は、インターネット上の任意のＷｅｂサーバからページデータを取得し、このページデータに基づくＷｅｂページをディスプレイ１００Ａに表示させる。このようにして、ＴＶ受像機１００は、ユーザにＷｅｂページを閲覧させ得るようになっている。
【００３６】
一方、リモコン１０１は、その筐体にタッチスクリーン１０１Ａと操作ボタン１０１Ｂが設けられ、また所定の無線方式でＴＶ受像機１００と無線通信するようになっている。
【００３７】
実際、リモコン１０１は、タッチスクリーン１０１Ａ又は操作ボタン１０１Ｂに対して所定の操作が行われると、どのような操作が行われたのかを示す操作情報をＴＶ受像機１００に送信する。ＴＶ受像機１００は、この操作情報を受信し、この操作情報に応じて動作する。
【００３８】
このようにして、ＴＶシステム１０２は、リモコン１０１でＴＶ受像機１００を操作できるようになっている。
【００３９】
さらに、このＴＶシステム１０２では、ＴＶ受像機１００のディスプレイ１００Ａの画面をメイン画面、リモコン１０１のタッチスクリーン１０１Ａの画面をサブ画面として２つの画面を連携させ、それぞれに様々な情報を表示させるようにもなっている。尚、ここでは、ディスプレイ１００Ａの画面をＴＶ画面、タッチスクリーン１０１Ａの画面をリモコン画面と呼ぶ。また、これら２つの画面をどのように連携させて、どのような情報を表示させるのかについて、詳しくは後述する。
【００４０】
［２−２．ＴＶ受像機及びリモコンのハードウェア構成］
次に、ＴＶ受像機１００及びリモコン１０１のハードウェア構成について説明する。まず図３を用いてＴＶ受像機１００のハードウェア構成から説明する。
【００４１】
ＴＶ受像機１００は、ＣＰＵ１１０が、不揮発性メモリ１１１に記憶されているプログラムをＲＡＭ１１２にロードして、このプログラムを実行することで全体を制御するようになっている。
【００４２】
またＴＶ受像機１００は、無線インタフェース（Ｉ／Ｆ）１１３によりリモコン１０１と通信するようになっていて、例えば、リモコン１０１から送信されてくる操作情報を、この無線Ｉ／Ｆ１１３で受信して、ＣＰＵ１１０に送る。ＣＰＵ１１０は、この操作情報に応じて、ＴＶ受像機１００の各部の動作を制御する。
【００４３】
実際、リモコン１０１に対してＴＶ放送の受信を指示する操作が行われたとする。するとＣＰＵ１１０は、リモコン１０１から送信されてくる操作情報を無線Ｉ／Ｆ１１３を介して取得して、この操作情報をもとに、ＴＶ放送の受信を指示する操作が行われた旨を認識し、ＴＶ放送を受信するよう各部の動作を制御する。
【００４４】
すなわち、チューナ１１４は、ＣＰＵ１１０の制御のもと、アンテナＡｔにより受信されたＴＶ放送信号から、例えばリモコン１０１の操作により指定されたチャンネルのトランスポートストリームを得、これをデスクランブラ１１５に送る。
【００４５】
デスクランブラ１１５は、ＣＰＵ１１０の制御のもと、トランスポートストリームのスクランブルを解除するための鍵を、ＴＶ受像機１００に装着された所定のＩＣカード（図示せず）から得、この鍵で、送られてきたトランスポートストリームのスクランブルを解除する。そしてデスクランブラ１１５は、このスクランブルが解除されたトランスポートストリームを、デマルチプレクサ（ＤＥＭＵＸ）１１６に送る。
【００４６】
デマルチプレクサ１１６は、ＣＰＵ１１０の制御のもと、スクランブルが解除されたトランスポートストリームからオーディオデータとビデオデータとを分離して、オーディオデータをオーディオデコーダ１１７に送り、ビデオデータをビデオデコーダ１１８に送る。
【００４７】
オーディオデコーダ１１７は、ＣＰＵ１１０の制御のもと、送られてきたオーディオデータをデコードすることで、音声データを得、これを音声処理回路１１９に送る。音声処理回路１１９は、送られてきた音声データに対して音声処理を施すことで、音声信号を得、これをスピーカ１００Ｂに送る。この結果、スピーカ１００Ｂから、音声信号に基づく音声、すなわちＴＶ放送の音声が出力される。
【００４８】
一方、ビデオデコーダ１１８は、ＣＰＵ１１０の制御のもと、送られてきたビデオデータをデコードすることで、映像データを得、これを映像処理回路１２０に送る。映像処理回路１２０は、送られてきた映像データに対して映像処理を施すことで、映像信号を得、これをディスプレイ１００Ａに送る。この結果、ディスプレイ１００Ａに、映像信号に基づく映像、すなわちＴＶ放送の映像が表示される。
【００４９】
このようにしてＴＶ受像機１００は、番組をユーザに視聴させ得るようになっている。
【００５０】
またＴＶ受像機１００は、ネットワークインタフェース（Ｉ／Ｆ）１２１を介してルータＲｔに接続され、このルータＲｔを経由してインターネットに接続されるようになっている。
【００５１】
実際、リモコン１０１に対してインターネットへの接続を指示する操作が行われたとする。すると、ＣＰＵ１１０は、無線Ｉ／Ｆ１１３から送られてくる操作情報をもとに、インターネットへの接続を指示する操作が行われた旨を認識し、ネットワークＩ／Ｆ１２１を介してインターネットに接続する。
【００５２】
さらにＣＰＵ１１０は、例えばリモコン１０１の操作により指定されたＷｅｂページのページデータを、ネットワークＩ／Ｆ１２１を介してインターネットから受信して、これをグラフィックス処理回路１２２に送る。
【００５３】
グラフィックス処理回路１２２は、ＣＰＵ１１０の制御のもと、ページデータをもとに、Ｗｅｂページの画像データを生成して、これを映像処理回路１２０に送る。映像処理回路１２０は、送られてきた画像データに対して映像処理を施すことで画像信号を得、これをディスプレイ１００Ａに送る。この結果、ディスプレイ１００Ａに、画像信号に基づく画像、すなわちＷｅｂページが表示される。
【００５４】
尚、このときディスプレイ１００Ａには、Ｗｅｂページ上に、任意の箇所を指定するためのカーソルも表示されるようにもなっている。
【００５５】
さらにＣＰＵ１１０は、適宜、無線Ｉ／Ｆ１１３を介して、リモコン１０１に制御情報を送信することで、リモコン１０１の動作を制御するようにもなっている。
【００５６】
具体的に、ＣＰＵ１１０は、リモコン１０１に対して、例えば、所定の情報をタッチスクリーン１０１Ａに表示させるための制御情報を、無線Ｉ／Ｆ１１３を介して、リモコン１０１に送信する。この結果、リモコン１０１のタッチスクリーン１０１Ａに所定の情報が表示されることになる。
【００５７】
つまり、ＴＶ受像機１００は、自身のディスプレイ１００Ａに情報を表示させるばかりでなく、リモコン１０１のタッチスクリーン１０１Ａにも情報を表示させることができるようになっている。
【００５８】
次に、図４を用いてリモコン１０１のハードウェア構成について説明する。リモコン１０１は、ＣＰＵ１３０が、不揮発性メモリ１３１に記憶されているプログラムをＲＡＭ１３２にロードして、このプログラムを実行することで全体を制御するようになっている。
【００５９】
リモコン１０１の筐体に設けられたタッチスクリーン１０１Ａは、各種情報を表示する表示デバイスである表示パネル１３３と、操作入力を受け付ける操作入力デバイスであるタッチパネル１３４とで構成される。
【００６０】
ＣＰＵ１３０は、このタッチパネル１３４から出力される操作面上のタッチ位置を取得して、これを表示パネル１３３の画面座標に変換することで、画面上のどの箇所がタッチされたのかを認識する。
【００６１】
またＣＰＵ１３０は、タッチパネル１３４から出力されるタッチ位置を、所定時間ごとに取得することで、タッチ位置の変位を検出する。そしてＣＰＵ１３０は、このタッチ位置の変位をもとに、画面上でタッチ位置がどのように動いたのか（すなわちタッチ位置の軌跡）を認識する。
【００６２】
ＣＰＵ１３０は、このようにして認識したタッチ位置とその軌跡とに基づいて、画面に対してどのようなタッチ操作が行われたのかを特定し、このタッチ操作を操作入力として受け付けるようになっている。
【００６３】
尚、ＣＰＵ１３０は、タッチ（触る）、タップ（触って離す）、ドラッグ（なぞる）、フリック（払う）等のタッチ操作を、操作入力として受け付けるようになっている。
【００６４】
またＣＰＵ１３０は、操作ボタン１０１Ｂに対する押下操作を認識すると、これをユーザによる操作入力として受け付けるようにもなっている。
【００６５】
さらにリモコン１０１は、無線Ｉ／Ｆ１３５によりＴＶ受像機１００と通信するようになっていて、例えば、タッチスクリーン１０１Ａに対して所定のタッチ操作が行われると、このタッチ操作に対応する操作情報を、無線Ｉ／Ｆ１３５を介してＴＶ受像機１００に送信する。
【００６６】
ここで、例えば、タッチスクリーン１０１Ａに、ＴＶ放送に対応するアイコンが表示されている状態で、ユーザが、このアイコンをタップしたとする。
【００６７】
するとＣＰＵ１３０は、このようなタッチ操作が行われた旨を示す操作情報を、無線Ｉ／Ｆ１３５を介してＴＶ受像機１００に送信する。ＴＶ受像機１００は、この操作情報をもとに、ＴＶ放送の受信を指示する操作が行われたと認識して、ＴＶ放送の映像をディスプレイ１００Ａに表示させると共に音声をスピーカ１００Ｂから出力する。
【００６８】
また、例えば、タッチスクリーン１０１Ａに、インターネットに対応するアイコンが表示されている状態で、ユーザが、このアイコンをタップしたとする。
【００６９】
するとＣＰＵ１３０は、このようなタッチ操作が行われた旨を示す操作情報を、無線Ｉ／Ｆ１３５を介してＴＶ受像機１００に送信する。ＴＶ受像機１００は、この操作情報をもとに、インターネットへの接続を指示する操作が行われたと認識して、インターネットに接続し、例えば、ホームページに設定されているＷｅｂページをディスプレイ１００Ａに表示させる。
【００７０】
さらにＴＶ受像機１００にＷｅｂページが表示されている状態で、ユーザが、リモコン１０１のタッチスクリーン１０１Ａ上をドラッグしたとする。
【００７１】
するとＣＰＵ１３０は、このようなタッチ操作が行われた旨を示す操作情報を、無線Ｉ／Ｆ１３５を介してＴＶ受像機１００に送信する。ＴＶ受像機１００は、この操作情報をもとに、カーソルの移動を指示する操作が行われたと認識して、Ｗｅｂページ上に表示されているカーソルを移動させる。因みに、このようなタッチ操作（ドラッグ）を、カーソル移動操作とも呼ぶ。
【００７２】
さらにこのカーソルが任意の箇所に位置している状態で、ユーザが、リモコン１０１のタッチスクリーン１０１Ａ上をタップしたとする。
【００７３】
するとＣＰＵ１３０は、このようなタッチ操作が行われた旨を示す操作情報を、無線Ｉ／Ｆ１３５を介してＴＶ受像機１００に送信する。ＴＶ受像機１００は、この操作情報をもとに、カーソルにより指定された箇所の選択を指示する操作が行われたと認識して、Ｗｅｂページ内の、カーソルにより指定された箇所を選択する。因みに、このようなタッチ操作（タップ）を、選択操作とも呼ぶ。
【００７４】
このようにして、リモコン１０１は、ＴＶ受像機１００の操作部として機能する。
【００７５】
さらに、リモコン１０１は、ＴＶ受像機１００から送信されてくる制御情報を、無線Ｉ／Ｆ１３５で受信して、ＣＰＵ１３０に送る。ＣＰＵ１３０は、この制御情報に応じて、リモコン１０１の各部の動作を制御する。
【００７６】
ここで、例えば、ＴＶ受像機１００から所定の情報をタッチスクリーン１０１Ａに表示させるための制御情報が送信されたとする。
【００７７】
するとＣＰＵ１３０は、この制御情報を無線Ｉ／Ｆ１３５を介して取得して、この制御情報をもとに、指定された情報をタッチスクリーン１０１Ａに表示させる。
【００７８】
このように、リモコン１０１は、ＴＶ受像機１００側から制御できるようになっていて、例えば、ＴＶ受像機１００のサブディスプレイとして機能する。
【００７９】
因みに、実施の形態の概要で説明した第１の装置３の第１の表示部２の具体的なハードウェアの例が上述したＴＶ受像機１００のディスプレイ１００Ａである。また第１の装置３の制御部６の具体的なハードウェアの例がＴＶ受像機１００のＣＰＵ１１０である。さらに第１の装置３の通信部７の具体的なハードウェアの例がＴＶ受像機１００の無線Ｉ／Ｆ１１３である。
【００８０】
さらに第２の装置５の第２の表示部４の具体的なハードウェアの例がリモコン１０１のタッチスクリーン１０１Ａである。さらに第２の装置５の通信部８の具体的なハードウェアの例がリモコン１０１の無線Ｉ／Ｆ１３５である。さらに第２の装置５の制御部９の具体的なハードウェアの例がリモコン１０１のＣＰＵ１３０である。
【００８１】
［２−３．２つの表示部を利用した情報の表示］
次に、ＴＶ受像機１００のＴＶ画面をメイン画面、リモコン１０１のリモコン画面をサブ画面として２つの画面を連携させ、それぞれに情報を表示させるときの動作について、具体例を用いて詳述する。
【００８２】
まず、図５に示すように、ＴＶ画面（すなわちメイン画面）に、任意のＷｅｂページ２００が表示されているとする。尚、ＴＶ画面の表示制御は、主としてＴＶ受像機１００のＣＰＵ１１０が行う。
【００８３】
ここでは、一例として、或るサービスへのユーザ登録を行うためのＷｅｂページ２００がＴＶ画面に表示されているとする。このＷｅｂページ２００は、ＨＴＭＬなどのマークアップ言語で記述され、インターネット上に公開されているページである。
【００８４】
このＷｅｂページ２００には、操作対象となる種々のオブジェクトが配置されている。具体的には、ユーザの性及び名をそれぞれテキストで直接入力するためのテキストボックスＴｂ１、Ｔｂ２や、ユーザの生まれた年月日のそれぞれをリストから選択して入力するためのリストボックスＬｂ１、Ｌｂ２、Ｌｂ３が配置されている。
【００８５】
また、既にユーザ登録を済ませたユーザがサインインに必要な情報を入力するためのウインドウを別途表示させるための表示ボタンＢｔ１や、サービスに関する詳細情報が記されたウインドウを別途表示させるための表示ボタンＢｔ２が配置されている。
【００８６】
さらに、このＷｅｂページ２００には、サイトのトップページに移るためのリンクボタンＬｉなども配置されている。
【００８７】
ＴＶ画面には、このような構成のＷｅｂページ２００が表示されていると共に、Ｗｅｂページ２００上の任意の箇所を指定するためのカーソルＣｓも表示されている。
【００８８】
さらにこのＴＶ画面では、ユーザがリモコン１０１に対してカーソル移動操作（ドラッグ）を行うことで、カーソルＣｓをＷｅｂページ２００上の任意の位置に移動させることができるようになっている。
【００８９】
さらにこのＴＶ画面では、カーソルＣｓを所望のオブジェクト上に移動させることで所望のオブジェクトにフォーカスを当てることができ、またフォーカスが当てられているオブジェクトを強調表示するようになっている。
【００９０】
そしてこのＴＶ画面では、所望のオブジェクトにフォーカスが当てられている状態で、ユーザがリモコン１０１に対して選択操作（タップ）を行うことで、フォーカスが当てられているオブジェクトを選択できるようになっている。
【００９１】
このようにしてＴＶ画面上でオブジェクトが選択されると、ＴＶ受像機１００のＣＰＵ１１０は、選択されたオブジェクトの種類に応じて、リモコン画面（すなわちサブ画面）に表示させる情報を決定する。
【００９２】
そしてＴＶ受像機１００のＣＰＵ１１０は、この情報をリモコン画面に表示させるための制御情報を、無線Ｉ／Ｆ１１３を介してリモコン１０１に送信することで、この情報をリモコン画面に表示させる。
【００９３】
より詳しく説明すると、例えば、図６（Ａ）に示すように、選択されたオブジェクトが、表示ボタンＢｔ（例えばＢｔ２）だったとする。
【００９４】
尚、実際のＴＶ画面には、図５に示すように、Ｗｅｂページ２００全体が表示されているが、ここでは、説明をわかり易くするため、図６乃至図９において、ＴＶ画面に、選択されたオブジェクトのみを表示させている。
【００９５】
このときＴＶ受像機１００のＣＰＵ１１０は、リモコン画面に表示させる情報を、この表示ボタンＢｔ２に対応付けられているウインドウ（すなわち表示ボタンＢｔ２が選択されたときに表示するよう指定されているサービスの詳細情報が記されたウインドウ）に決定する。
【００９６】
ここでＴＶ受像機１００のＣＰＵ１１０は、まず図６（Ｂ）に示すように、ＴＶ画面に、選択された表示ボタンＢｔ２に対応付けられているウインドウＷｄが画面手前側に飛び出していくようなアニメーションを表示させる。尚、この時点で、リモコン画面には、まだ何も表示されていない。
【００９７】
つづけてＣＰＵ１１０は、このウインドウＷｄをリモコン画面に表示させるための制御情報を、無線Ｉ／Ｆ１１３を介してリモコン１０１に送信する。この制御情報には、例えば、ウインドウＷｄの画像データと、この画像データに基づいてウインドウＷｄを表示するよう指示するコマンドとが含まれている。
【００９８】
リモコン１０１のＣＰＵ１３０は、無線Ｉ／Ｆ１３５を介してこの制御情報を受信する。するとＣＰＵ１３０は、この制御情報をもとに、図６（Ｃ）に示すように、リモコン画面に、ウインドウＷｄが画面奥側から飛び込んでくるようなアニメーションを表示させる。
【００９９】
このように、ＴＶシステム１０２では、ＴＶ画面から前方にウインドウＷｄが飛び出していくようなアニメーションを表示させた後、リモコン画面に前方からウインドウＷｄが飛び込んでくるようなアニメーションを表示させる。こうすることで、ＴＶシステム１０２では、ＴＶ画面を見ているユーザの視線を、ＴＶ画面から手元のリモコン画面に誘導するようになっている。
【０１００】
その後、ＣＰＵ１３０は、図６（Ｄ）に示すように、このウインドウＷｄをリモコン画面に固定表示させる。
【０１０１】
これにより、ＴＶ画面上で選択された表示ボタンＢｔ２に対応付けられている、サービスの詳細情報が記されたウインドウＷｄを、リモコン画面上で確認できる状態となる。
【０１０２】
このように、ＴＶシステム１０２では、まずＴＶ画面にＷｅｂページ２００を表示させ、このＷｅｂページ２００内の表示ボタンＢｔが選択されると、この表示ボタンＢｔが選択されたときに表示するよう指定されているウインドウＷｄをリモコン画面に表示させる。
【０１０３】
こうすることで、このＴＶシステム１０２では、Ｗｅｂページの閲覧はＴＶ画面を利用し、Ｗｅｂページ内の表示ボタンＢｔを選択することで別途表示するウインドウＷｄの確認はリモコン画面を利用してというように、２つの画面を有効利用することができる。
【０１０４】
またこれとは別に、例えば、図７（Ａ）に示すように、選択されたオブジェクトが、テキストボックスＴｂ（例えばＴｂ１）だったとする。このときＴＶ受像機１００のＣＰＵ１１０は、リモコン画面に表示させる情報を、テキストボックスと、このテキストボックスに文字入力を行うためのソフトウェアキーボードに決定する。
【０１０５】
ここでＴＶ受像機１００のＣＰＵ１１０は、まず図７（Ｂ）に示すように、ＴＶ画面に、選択されたテキストボックスＴｂ１をコピーしたテキストボックスＴｂｘが画面手前側に飛び出していくようなアニメーションを表示させる。尚、この時点で、リモコン画面には、まだ何も表示されていない。
【０１０６】
つづけてＣＰＵ１１０は、テキストボックスとソフトウェアキーボードとをリモコン画面に表示させるための制御情報を、無線Ｉ／Ｆ１１３を介してリモコン１０１に送信する。
【０１０７】
リモコン１０１のＣＰＵ１３０は、無線Ｉ／Ｆ１３５を介してこの制御情報を受信する。するとＣＰＵ１３０は、この制御情報をもとに、図７（Ｃ）に示すように、リモコン画面に、テキストボックスＴｂｘが画面奥側から飛び込んでくるようなアニメーションを表示させる。
【０１０８】
このように、ＴＶシステム１０２では、ＴＶ画面からリモコン側にテキストボックスＴｂｘが飛び出していくようなアニメーションを表示させた後、リモコン画面にＴＶ側からテキストボックスＴｂｘが飛び込んでくるようなアニメーションを表示させる。こうすることで、ＴＶシステム１０２では、ＴＶ画面を見ているユーザの視線を、ＴＶ画面からリモコン画面に誘導するようになっている。
【０１０９】
その後、ＣＰＵ１３０は、図７（Ｄ）に示すように、このテキストボックスＴｂｘをリモコン画面の所定位置に固定表示させると共に、このテキストボックスＴｂｘの下方に、複数のキー画像で構成されるソフトウェアキーボードＳｋを表示させる。
【０１１０】
この時点で、リモコン画面上でテキストボックスＴｂｘへの文字入力が可能な状態となる。
【０１１１】
そしてリモコン１０１のＣＰＵ１３０は、図７（Ｅ）に示すように、リモコン画面に表示させたソフトウェアキーボードＳｋの各キー画像がタップされるごとに、タップされたキー画像に対応する文字をリモコン画面に表示させたテキストボックスＴｂｘ内に表示させていく。
【０１１２】
その後、ソフトウェアキーボードＳｋの所定キー画像（例えばリターンキー画像）がタップされると、ＣＰＵ１３０は、ユーザによる文字入力が完了したと判断する。
【０１１３】
するとＣＰＵ１３０は、図７（Ｆ）に示すように、ソフトウェアキーボードＳｋを非表示にすると共に、リモコン画面に、入力されたテキストが表示されている状態のテキストボックスＴｂｘが画面奥側に飛び出していくようなアニメーションを表示させる。
【０１１４】
つづけてＣＰＵ１３０は、テキストボックスＴｂｘ内のテキスト、すなわち入力されたテキストを示す入力テキスト情報を、無線Ｉ／Ｆ１３５を介してＴＶ受像機１００に送信する。
【０１１５】
ＴＶ受像機１００のＣＰＵ１１０は、無線Ｉ／Ｆ１１３を介してこの入力テキスト情報を受信する。するとＣＰＵ１１０は、図７（Ｇ）に示すように、ＴＶ画面に、入力テキスト情報に示されたテキストが表示されている状態のテキストボックスＴｂｘが画面手前側から飛び込んでくるようなアニメーションを表示させる。
【０１１６】
このように、ＴＶシステム１０２では、リモコン画面からＴＶ側にテキストボックスＴｂｘが飛び出していくようなアニメーションを表示させた後、ＴＶ画面にリモコン側からテキストボックスＴｂｘが飛び込んでくるようなアニメーションを表示させる。こうすることで、ＴＶシステム１０２では、リモコン画面を見ているユーザの視線を、再度ＴＶ画面に戻させるようになっている。
【０１１７】
その後、ＣＰＵ１１０は、図７（Ｈ）に示すように、ＴＶ画面に表示されている選択中のテキストボックスＴｂ内に、入力テキスト情報に示されたテキストを表示させる。この時点で、ＴＶ画面上のテキストボックスＴｂへのテキスト入力が完了したことになる。
【０１１８】
このように、ＴＶシステム１０２では、まずＴＶ画面にＷｅｂページ２００を表示させ、このＷｅｂページ２００内のテキストボックスＴｂが選択されると、テキストボックスＴｂｘとソフトウェアキーボードＳｋをリモコン画面に表示させる。
【０１１９】
こうすることで、このＴＶシステム１０２では、Ｗｅｂページの閲覧はＴＶ画面を利用して、Ｗｅｂページ内のテキストボックスへの入力はリモコン画面を利用してというように、２つの画面を有効利用することができる。
【０１２０】
さらに、これとは別に、例えば、図８（Ａ）に示すように、選択されたオブジェクトが、リストボックスＬｂ（例えばＬｂ１）だったとする。このときＴＶ受像機１００のＣＰＵ１１０は、リモコン画面に表示させる情報を、このリストボックスＬｂ１に対応付けられているリスト（すなわちリストボックスＬｂ１が選択されたときに表示するよう指定されているリスト）Ｌｓに決定する。
【０１２１】
ここでＴＶ受像機１００のＣＰＵ１１０は、まず図８（Ｂ）に示すように、ＴＶ画面に、選択されたリストボックスＬｂ１に対応付けられているリストＬｓが画面手前側に飛び出していくようなアニメーションを表示させる。このリストＬｓには、選択可能な複数の項目Ｌｓｉが記されている。尚、この時点で、リモコン画面には、まだ何も表示されていない。
【０１２２】
つづけてＣＰＵ１１０は、リストＬｓをリモコン画面に表示させるための制御情報を、無線Ｉ／Ｆ１１３を介してリモコン１０１に送信する。この制御情報には、例えば、リストＬｓの項目Ｌｓｉを示す項目情報と、この項目情報に基づいてリストＬｓを表示するよう指示するコマンドとが含まれている。
【０１２３】
リモコン１０１のＣＰＵ１３０は、無線Ｉ／Ｆ１３５を介してこの制御情報を受信する。するとＣＰＵ１３０は、この制御情報をもとに、図８（Ｃ）に示すように、リモコン画面に、リストＬｓが画面奥側から飛び込んでくるようなアニメーションを表示させる。
【０１２４】
このように、ＴＶシステム１０２では、ＴＶ画面からリモコン側にリストＬｓが飛び出していくようなアニメーションを表示させた後、リモコン画面にＴＶ側からリストＬｓが飛び込んでくるようなアニメーションを表示させる。こうすることで、ＴＶシステム１０２では、ＴＶ画面を見ているユーザの視線を、ＴＶ画面からリモコン画面に誘導するようになっている。
【０１２５】
その後、ＣＰＵ１３０は、図８（Ｄ）に示すように、このリストＬｓをリモコン画面に固定表示させる。
【０１２６】
これにより、ＴＶ画面上で選択されたリストボックスＬｂに対応付けられているリストＬｓを、リモコン画面上で確認できる状態となる。
【０１２７】
そしてリモコン１０１のＣＰＵ１３０は、図８（Ｅ）に示すように、リモコン画面に表示させたリストＬｓに記されている複数の項目Ｌｓｉのうちの１つがタップされると、ユーザにより項目Ｌｓｉが選択されたと判断する。
【０１２８】
するとＣＰＵ１３０は、図８（Ｆ）に示すように、リモコン画面に、選択された項目Ｌｓｉ（すなわちタップされた項目Ｌｓｉ）のみが記されている状態のボックスＢｘが画面奥側に飛び出していくようなアニメーションを表示させる。
【０１２９】
つづけてＣＰＵ１３０は、リストＬｓから選択された項目Ｌｓｉを示す選択項目情報を、無線Ｉ／Ｆ１３５を介してＴＶ受像機１００に送信する。
【０１３０】
ＴＶ受像機１００のＣＰＵ１１０は、無線Ｉ／Ｆ１１３を介してこの選択項目情報を受信する。するとＣＰＵ１１０は、図８（Ｇ）に示すように、ＴＶ画面に、選択された項目Ｌｓｉのみが記されている状態のボックスＢｘが画面手前側から飛び込んでくるようなアニメーションを表示させる。
【０１３１】
このように、ＴＶシステム１０２では、リモコン画面からＴＶ側にボックスＢｘが飛び出していくようなアニメーションを表示させた後、ＴＶ画面にリモコン側からボックスＢｘが飛び込んでくるようなアニメーションを表示させる。こうすることで、ＴＶシステム１０２では、リモコン画面を見ているユーザの視線を、再度ＴＶ画面に戻させるようになっている。
【０１３２】
その後、ＣＰＵ１１０は、図８（Ｈ）に示すように、ＴＶ画面に表示されている選択中のリストボックスＬｂ１内に、選択項目情報に示された項目Ｌｓｉを表示させる。この時点で、ＴＶ画面上のリストボックスＬｂ１に対する項目選択が完了したことになる。
【０１３３】
このように、ＴＶシステム１０２では、まずＴＶ画面にＷｅｂページを表示させ、このＷｅｂページ内のリストボックスＬｂ１が選択されると、リストボックスＬｂ１に対応付けられているリストＬｓをリモコン画面に表示させる。
【０１３４】
こうすることで、このＴＶシステム１０２では、Ｗｅｂページの閲覧はＴＶ画面を利用して、Ｗｅｂページ内のリストボックスＬｂに対応付けられているリストＬｓの確認及びリストＬｓからの項目選択は、リモコン画面を利用してというように、２つの画面を有効利用することができる。
【０１３５】
さらに、例えば、選択されたオブジェクトが、リンクボタンＬｉだったとする。このときＴＶ受像機１００のＣＰＵ１１０は、リモコン画面に表示させる情報は無しと決定する。
【０１３６】
そしてＴＶ受像機１００のＣＰＵ１１０は、ＴＶ画面に、現在表示しているＷｅｂページに代えて、リンクボタンＬｉに対応付けられているリンク先のアドレスのＷｅｂページを表示させる。
【０１３７】
このように、ＴＶシステム１０２では、Ｗｅｂページの閲覧については、リモコン画面と比して大画面のＴＶ画面のみを利用するようになっている。
【０１３８】
［２−４．処理手順］
次に、ＴＶ画面とリモコン画面の２つの画面を連携させ、それぞれに情報を表示させるときの、ＴＶ受像機１００とリモコン１０１とで実行される処理の手順（これを２画面表示処理手順とも呼ぶ）について説明する。
【０１３９】
ここでは、まずＴＶ受像機１００側とリモコン１０１側とで行われる２画面表示処理手順の概要を簡単に説明してから、ＴＶ受像機１００側とリモコン１０１側とで行われる２画面表示処理手順の詳細について説明することとする。
【０１４０】
まず図９に示すシーケンスチャートを用いて、２画面表示処理手順の概要について説明する。尚、このシーケンスは、主として、ＴＶ受像機１００のＣＰＵ１１０と、リモコン１０１のＣＰＵ１３０とが協働して実行するシーケンスである。
【０１４１】
リモコン１０１から操作情報などの各種情報がＴＶ受像機１００に送信されると、ＴＶ受像機１００は、これを無線Ｉ／Ｆ１１３を介して受信する。するとＴＶ受像機１００のＣＰＵ１１０は、ステップＳＰ１において、この情報を読み込んで解読し、次のステップＳＰ２に移る。
【０１４２】
ステップＳＰ２においてＣＰＵ１１０は、解読した情報をもとに、リモコン画面に表示させる情報を決定するなどの内部処理を実行して、次のステップＳＰ３に移る。ステップＳＰ３においてＣＰＵ１１０は、アニメーションを表示させるなどしてＴＶ画面の表示を更新し、次のステップＳＰ４に移る。
【０１４３】
ステップＳＰ４においてＣＰＵ１１０は、無線Ｉ／Ｆ１１３を介してリモコン１０１に制御情報を送信し、再びステップＳＰ１に戻る。
【０１４４】
一方、ＴＶ受像機１００から制御情報などの各種情報がリモコン１０１に送信されると、リモコン１０１は、これを無線Ｉ／Ｆ１３５を介して受信する。するとリモコン１０１のＣＰＵ１３０は、ステップＳＰ１０において、この情報を読み込んで解読し、次のステップＳＰ１１に移る。
【０１４５】
ステップＳＰ１１においてＣＰＵ１３０は、解読した情報をもとに、タッチスクリーン１０１Ａに表示する画像データを準備するなどの内部処理を実行して、次のステップＳＰ１２に移る。
【０１４６】
ステップＳＰ１２においてＣＰＵ１３０は、準備した画像データに基づく画像を表示させるなどしてリモコン画面の表示を更新し、次のステップＳＰ１３に移る。
【０１４７】
ステップＳＰ１３においてＣＰＵ１３０は、タッチスクリーン１０１Ａに対するタッチ操作に応じて、操作情報などの各種情報を、無線Ｉ／Ｆ１３５を介してＴＶ受像機１００に送信し、再びステップＳＰ１０に戻る。
【０１４８】
このようなシーケンスにしたがって、ＴＶ受像機１００とリモコン１０１との間で通信が行われ、それぞれの画面の表示が更新されるようになっている。
【０１４９】
次に、図１０及び図１１に示すフローチャートを用いて、２画面表示処理手順の詳細について説明する。
【０１５０】
まずステップＳＰ２０においてＴＶ受像機１００のＣＰＵ１１０が、リモコン１０１から送信されてくる操作情報を受信したとする。すると次のステップＳＰ２１において、ＴＶ受像機１００のＣＰＵ１１０は、この操作情報をもとに、例えば、Ｗｅｂページ上のオブジェクトが選択されたか否かを判断する。
【０１５１】
このステップＳＰ２１で否定結果を得た場合、２画面表示処理手順は終了する。一方、このステップＳＰ２１で肯定結果を得た場合、ＴＶ受像機１００のＣＰＵ１１０は、次のステップＳＰ２２において、選択されたオブジェクトの種類がリンクボタンであるか否かを判断する。
【０１５２】
このステップＳＰ２２で肯定結果を得ると、ＴＶ受像機１００のＣＰＵ１１０は、リモコン画面に表示させる情報は無しと決定し、次のステップＳＰ２３において、リンクボタンＬｉが示すリンク先のＷｅｂページをＴＶ画面に表示させる。そして、この２画面表示処理手順が終了する。
【０１５３】
これに対して、上述のステップＳＰ２２で否定結果を得た場合、ＴＶ受像機１００のＣＰＵ１１０は、ステップＳＰ２４において、選択されたオブジェクトの種類が、表示ボタン、テキストボックス、リストボックスのどれであるかを判別する。
【０１５４】
ここで、表示ボタンであると判別した場合、ＴＶ受像機１００のＣＰＵ１１０は、リモコン画面に表示させる情報を、表示ボタンＢｔに対応付けられているウインドウＷｄに決定する。そしてＣＰＵ１１０は、次のステップＳＰ２５において、ＴＶ画面に、表示ボタンＢｔに対応付けられているウインドウＷｄが画面手前側に飛び出していくようなアニメーションを表示させる。
【０１５５】
その後、ＴＶ受像機１００のＣＰＵ１１０は、次のステップＳＰ２６において、リモコン１０１に対して、ウインドウＷｄを表示させるための制御情報を送信する。
【０１５６】
リモコン１０１のＣＰＵ１３０は、ＴＶ受像機１００から送信されてくる制御情報を受信すると、ステップＳＰ２７（図１１）において、この制御情報をもとにウインドウＷｄを、画面奥側から飛び込んでくるようにしてリモコン画面に表示させる。そして、この２画面表示処理手順が終了する。
【０１５７】
これに対して、選択されたオブジェクトの種類がテキストボックスであると判別した場合、ＴＶ受像機１００のＣＰＵ１１０は、リモコン画面に表示させる情報を、テキストボックスＴｂｘとソフトウェアキーボードＳｋに決定する。そしてＣＰＵ１１０は、ステップＳＰ２８（図１０）において、ＴＶ画面に、テキストボックスＴｂｘが画面手前側に飛び出していくようなアニメーションを表示させる。
【０１５８】
その後、ＴＶ受像機１００のＣＰＵ１１０は、次のステップＳＰ２９において、リモコン１０１に対して、テキストボックスＴｂｘとソフトウェアキーボードＳｋを表示させるための制御情報を送信する。
【０１５９】
リモコン１０１のＣＰＵ１３０は、ＴＶ受像機１００から制御情報を受信すると、ステップＳＰ３０（図１１）において、この制御情報をもとにテキストボックスＴｂｘを、画面奥側から飛び込んでくるようにしてリモコン画面に表示させる。またこれとともに、ＣＰＵ１３０は、ソフトウェアキーボードＳｋをリモコン画面に表示させる。
【０１６０】
その後、リモコン１０１のＣＰＵ１３０は、ステップＳＰ３１において、リモコン画面上で、テキストボックスＴｂｘへのテキスト入力が完了するのを待ち受ける。
【０１６１】
そしてテキスト入力が完了したことを認識すると、リモコン１０１のＣＰＵ１３０は、ステップＳＰ３２において、リモコン画面に、テキストボックスＴｂｘが画面奥側に飛び出していくようなアニメーションを表示させる。
【０１６２】
その後、リモコン１０１のＣＰＵ１３０は、ステップＳＰ３３において、入力されたテキストを示す入力テキスト情報を、ＴＶ受像機１００に送信する。
【０１６３】
ＴＶ受像機１００のＣＰＵ１１０は、リモコン１０１から入力テキスト情報を受信すると、ステップＳＰ３４において、ＴＶ画面に、テキストボックスＴｂｘが画面手前側から飛び込んでくるようなアニメーションを表示させ、テキストボックスＴｂ内に、入力されたテキストを表示させる。そして、この２画面表示処理手順が終了する。
【０１６４】
これとは別に、選択されたオブジェクトの種類がリストボックスであると判別した場合、ＴＶ受像機１００のＣＰＵ１１０は、リモコン画面に表示させる情報を、リストボックスＬｂに対応付けられているリストＬｓに決定する。そしてＣＰＵ１１０は、ステップＳＰ３５（図１０）において、ＴＶ画面に、リストボックスＬｂに対応付けられているリストＬｓが画面手前側に飛び出していくようなアニメーションを表示させる。
【０１６５】
その後、ＴＶ受像機１００のＣＰＵ１１０は、次のステップＳＰ３６において、リモコン１０１に対して、リストＬｓを表示させるための制御情報を送信する。
【０１６６】
リモコン１０１のＣＰＵ１３０は、ＴＶ受像機１００から制御情報を受信すると、ステップＳＰ３７（図１１）において、この制御情報をもとにリストＬｓを、画面奥側から飛び込んでくるようにしてリモコン画面に表示させる。
【０１６７】
その後、リモコン１０１のＣＰＵ１３０は、ステップＳＰ３８において、リモコン画面上で、リストＬｓからの項目選択が完了するのを待ち受ける。
【０１６８】
そして項目選択が完了したことを認識すると、リモコン１０１のＣＰＵ１３０は、ステップＳＰ３９において、リモコン画面に、リストＬｓから選択された項目Ｌｓｉのみが表示されたボックスＢｘが画面奥側に飛び出していくようなアニメーションを表示させる。
【０１６９】
その後、リモコン１０１のＣＰＵ１３０は、ステップＳＰ４０において、選択された項目Ｌｓｉを示す選択項目情報を、ＴＶ受像機１００に送信する。
【０１７０】
ＴＶ受像機１００のＣＰＵ１１０は、リモコン１０１から選択項目情報を受信すると、ステップＳＰ４１において、ＴＶ画面に、項目Ｌｓｉのみが表示されたボックスＢｘが画面手前側から飛び込んでくるようなアニメーションを表示させ、その後、リストボックスＬｂ内に、選択された項目Ｌｓｉを表示させる。そして、この２画面表示処理手順が終了する。
【０１７１】
このようにして、ＴＶシステム１０２では、ＴＶ画面とリモコン画面の２つの画面を連携させ、それぞれに種々の情報を表示させるようになっている。
【０１７２】
［２−５．動作及び効果］
以上の構成において、ＴＶ受像機１００は、まずＷｅｂページ２００をメイン画面となるＴＶ画面に表示させる。
【０１７３】
その後、リモコン１０１の操作により、このＷｅｂページ２００内のオブジェクトが選択されると、ＴＶ受像機１００は、選択されたオブジェクトの種類に応じて、サブ画面となるリモコン画面に表示させる情報を決定する。
【０１７４】
すなわちＴＶ受像機１００は、選択されたオブジェクトの種類が、表示ボタンやリストボックスのように、ウインドウやリストなどの情報を追加表示するためのものである場合、追加表示する情報（これを追加表示情報とも呼ぶ）を、リモコン画面に表示させる情報とする。
【０１７５】
そしてＴＶ受像機１００は、リモコン１０１を制御して、ウインドウやリストなどの追加表示情報を、リモコン画面に表示させる。
【０１７６】
またＴＶ受像機１００は、選択されたオブジェクトの種類が、テキストボックスのように、テキストを入力するためのものである場合には、テキストボックスとソフトウェアキーボードを、リモコン画面に表示させる情報とする。
【０１７７】
そしてＴＶ受像機１００は、リモコン１０１を制御して、テキストボックスとソフトウェアキーボードを、リモコン画面に表示させる。
【０１７８】
さらにＴＶ受像機１００は、選択されたオブジェクトの種類が、リンクボタンのように、ＴＶ画面の表示内容を更新させるためのものである場合には、リモコン画面に表示させる情報を無しに決定する。
【０１７９】
このように、TV画面に表示されているオブジェクトが選択されると、その都度、TV受像機１００が、このオブジェクトの種類に基づいて、リモコン画面に表示させる情報を決定するようにした。
【０１８０】
こうすることで、Ｗｅｂページのように、もともと複数の画面を利用して表示するようには作られていない情報であっても、ＴＶ画面とリモコン画面の２つの画面を利用して表示することができる。
【０１８１】
以上の構成によれば、複数の画面を利用して表示するようには作られていないＷｅｂページなどの情報を表示するような場合でも、ＴＶ画面とリモコン画面の２つの画面を有効に利用してこの情報を表示することができる。
【０１８２】
＜３．実施の形態の変形例＞
［３−１．変形例１］
尚、上述した実施の形態では、ＴＶ画面に表示させたＷｅｂページ２００上のテキストボックスＴｂが選択されたときに、リモコン画面に、テキストボックスＴｂｘとソフトウェアキーボードＳｂを表示して、リモコン画面上でテキスト入力できるようにした。
【０１８３】
ここで、Ｗｅｂページ２００上のテキストボックスＴｂに入力されるテキストが秘匿性の高い情報（例えばパスワード）である場合に、リモコン画面上で入力されたテキストを、リモコン画面上でのみ確認できるようにしてもよい。尚、パスワードのように、秘匿すべき情報を、ここでは、秘匿情報と呼ぶ。
【０１８４】
この場合、図１２（Ａ）〜（Ｄ）に示すように、ＴＶ画面上でパスワード入力用のテキストボックスＴｂｐが選択されると、通常のテキストボックスＴｂが選択されたときと同様にして、リモコン画面にテキストボックスＴｂｘとソフトウェアキーボードＳｋが表示される。
【０１８５】
そして、図１２（Ｅ）に示すように、リモコン画面上でパスワードとなるテキストが入力されたとする。このときテキストボックスＴｂｘ内には、入力されたパスワードがそのまま表示されることで、ユーザが入力したパスワードを確認できるようになっている。
【０１８６】
入力が完了すると、リモコン１０１のＣＰＵ１３０は、図１２（Ｆ）に示すように、入力されたパスワードが表示されている状態のテキストボックスＴｂｘが画面奥側に飛び出していくようなアニメーションを表示させる。
【０１８７】
さらにＣＰＵ１３０は、入力されたテキスト（すなわちパスワード）を示す入力テキスト情報を、ＴＶ受像機１００に送信する。
【０１８８】
ＴＶ受像機１００のＣＰＵ１１０は、この入力テキスト情報を受信すると、図１２（Ｇ）に示すように、ＴＶ画面に、この入力テキスト情報に示されたパスワードが確認できない状態で表示されているテキストボックスＴｂｘが画面手前側から飛び込んでくるようなアニメーションを表示させる。
【０１８９】
そしてＣＰＵ１１０は、図１２（Ｈ）に示すように、パスワード入力用のテキストボックスＴｂｐ内に、入力テキスト情報に示されたパスワードを確認できない状態で表示させる。
【０１９０】
実際、図１２（Ｇ）及び（Ｈ）では、入力テキスト情報に示されたパスワードの各文字を特定の文字（ここでは「＊」）に置き換えて表示することで、リモコン画面上で入力されたパスワードを、ＴＶ画面上では確認できないようになっている。
【０１９１】
こうすることで、パスワードのような秘匿性の高い情報を、ＴＶ画面を見ている他のユーザには見られることなく、リモコン１０１を操作しているユーザのみ確認できるようにして、入力することができる。
【０１９２】
また、これに限らず、リモコン１０１側で、パスワード入力完了後、テキストボックスＴｂｘが画面奥側に飛び出していくようなアニメーションを表示させるときに、このテキストボックスＴｂｘ内にパスワードを確認できない状態で表示させるようにしてもよい。
【０１９３】
この場合、ＴＶ受像機１００のＣＰＵ１１０は、リモコン１０１に対して、テキストボックスとソフトウェアキーボードを表示させ、さらに今回のテキスト入力がパスワード入力である旨を示す制御情報を送信するようにする。
【０１９４】
これにより、リモコン１０１のＣＰＵ１３０は、今回のテキスト入力がパスワード入力である旨を認識して、パスワード入力完了後、テキストボックスＴｂｘ内に、確認できない状態でパスワードを表示させる。
【０１９５】
また、このようにパスワードの入力を行うときに、リモコン画面の輝度を下げたり、リモコン画面全体の色を暗くしたりして、リモコン画面の表示を変更することで、リモコン１０１を操作しているユーザ以外の人に対して、画面自体を見づらくするようにしてもよい。
【０１９６】
さらに、パスワード入力時に、リモコン１０１のＣＰＵ１３０が、リモコン画面に、枠を表示させ、この枠内をタッチさせることでユーザの指紋を取得し、この指紋からユーザを特定して、このユーザのパスワードを自動入力するなどしてもよい。
【０１９７】
［３−２．変形例２］
また、上述した実施の形態では、例えばＴＶ画面上でテキストボックスＴｂが選択されると、ＴＶ画面から前方にテキストボックスＴｂｘが飛び出していくようなアニメーションを表示させるようにした。そして、リモコン画面に前方からテキストボックスＴｂｘが飛び込んでくるようなアニメーションを表示させるようにした。
【０１９８】
このようなアニメーションを表示することで、ＴＶシステム１０２では、ユーザの視線を、ＴＶ画面からリモコン画面に、またはその逆に誘導するようになっている。
【０１９９】
これに限らず、この他種々の方法で、ユーザの視線を誘導するようにしてもよい。ここで、図１３（Ａ）〜（Ｉ）を用いて、視線を誘導する他の方法について説明する。
【０２００】
まず、図１３（Ａ）に示すように、リモコン画面の上端部に、横長のスリットＳＬを常に表示させるようにする。
【０２０１】
ここで、例えば、ＴＶ画面上でテキストボックスＴｂが選択されたとする。するとＴＶ受像機１００のＣＰＵ１１０は、図１３（Ｂ）及び（Ｃ）に示すように、テキストボックスＴｂをコピーしたテキストボックスＴｂｘが下方に移動して、画面下隅から消えていくようなアニメーションを表示させる。
【０２０２】
つづけてＣＰＵ１１０は、テキストボックスとソフトウェアキーボードとをリモコン画面に表示させるための制御情報を、リモコン１０１に送信する。
【０２０３】
リモコン１０１のＣＰＵ１３０は、この制御情報を受信すると、図１３（Ｄ）に示すように、テキストボックスＴｂｘがリモコン画面の上端部に表示されているスリットＳＬから下方に吐き出されるようなアニメーションを表示させる。
【０２０４】
このように、ＴＶ画面に画面下隅からテキストボックスＴｂｘが消えていくようなアニメーションを表示させた後、リモコン画面に、スリットＳＬからテキストボックスＴｂｘが吐き出されるようなアニメーションを表示させる。
【０２０５】
こうすることで、ユーザの視線をＴＶ画面からリモコン画面にスムーズに誘導することができる。
【０２０６】
その後、図１３（Ｅ）に示すように、このテキストボックスＴｂｘをリモコン画面の所定位置に固定表示させると共に、このテキストボックスＴｂｘの下方に、ソフトウェアキーボードＳｋを表示させる。
【０２０７】
そして図１３（Ｆ）に示すようにテキストが入力され、ソフトウェアキーボードＳｋの所定キー画像がタップされると、ＣＰＵ１３０は、ユーザによるテキスト入力が完了したと判断する。
【０２０８】
するとＣＰＵ１３０は、図１３（Ｇ）に示すように、ソフトウェアキーボードＳｋを非表示にすると共に、リモコン画面に、入力されたテキストが表示されている状態のテキストボックスＴｂｘがスリットＳＬに吸い込まれていくようなアニメーションを表示させる。
【０２０９】
つづけてＣＰＵ１３０は、入力されたテキストを示す入力テキスト情報を、ＴＶ受像機１００に送信する。
【０２１０】
ＴＶ受像機１００のＣＰＵ１１０は、この入力テキスト情報を受信すると、図１３（Ｈ）に示すように、テキストボックスＴｂｘが画面下隅から現れて、上方に移動していくようなアニメーションを表示させる。
【０２１１】
このように、リモコン画面にスリットＳＬにテキストボックスＴｂｘが吸い込まれていくようなアニメーションを表示させた後、ＴＶ画面に画面下隅からテキストボックスＴｂｘが現れるようなアニメーションを表示させる。
【０２１２】
こうすることで、ユーザの視線をリモコン画面からＴＶ画面にスムーズに誘導することができる。
【０２１３】
その後、ＣＰＵ１１０は、図１３（Ｉ）に示すように、ＴＶ画面に表示されている選択中のテキストボックスＴｂ内に、入力テキスト情報に示されたテキストを表示させる。
【０２１４】
このような方法で、ユーザの視線を誘導するようにしてもよい。
【０２１５】
またこれに限らず、ＴＶ画面の下端部にもスリットを表示させて、このスリットにテキストボックスなどのオブジェクトが吸い込まれたり、このスリットから吐き出されたりするようなアニメーションを表示させるようにしてもよい。
【０２１６】
さらにリモコン画面にスリットＳＬを表示せずに、リモコン画面にオブジェクトが画面上隅から現れるようなアニメーションを表示させるなどしてもよい。
【０２１７】
さらに視線をリモコン画面に移すよう促す文章をＴＶ画面に表示させたり、視線を移すよう促す音声をＴＶ受像機１００のスピーカ１００Ｂから出力させたりしてもよい。
【０２１８】
さらにリモコン１０１の筐体に、筐体を振動させるためのモータを内蔵させて、このモータを駆動して筐体を振動させることで、視線をリモコン画面に誘導させるようにするなどしてもよい。
【０２１９】
さらにこれらのような種々の方法を組み合わせて、ユーザの視線を誘導するようにしてもよい。
【０２２０】
［３−３．変形例３］
さらに上述した実施の形態では、テキスト入力時に、リモコン画面に、テキストボックスＴｂｘとソフトウェアキーボードＳｋとを表示させるようにした。
【０２２１】
このとき、テキストボックスＴｂｘのアニメーションだけでなく、ソフトウェアキーボードＳｋのアニメーション（例えば画面下隅から現れるようなアニメーション）を表示させるようにしてもよい。
【０２２２】
［３−４．変形例４］
さらに上述した実施の形態では、例えば、ＴＶ画面上で表示ボタンＢｔが選択されたときに、対応するウインドウＷｄの画像データと、ウインドウＷｄを表示するよう指示するコマンドとを含んだ制御情報をＴＶ受像機１００からリモコン１０１に送信するようにした。
【０２２３】
これに限らず、例えば、ウインドウＷｄの画像データの代わりに、ウインドウＷｄの画像データを生成するためのソースと、コマンドとをリモコン１０１に送信するようにしてもよい。
【０２２４】
この場合、リモコン１０１のＣＰＵ１３０は、このソースをもとに、ウインドウＷｄの画像データを生成して、リモコン画面に表示させる。
【０２２５】
また、このソースに、インターネット上に存在するコンテンツのアドレスが含まれている場合、ＴＶ受像機１００は、ソースと共に、インターネット上から取得したコンテンツのデータも、リモコン１０１に送信するようにする。
【０２２６】
こうすることで、リモコン１０１では、リモコン画面に、コンテンツを再生するウインドウＷｄを表示することができる。
【０２２７】
さらに、リモコン１０１に、インターネット接続機能を持たせることで、リモコン１０１自身がインターネットにアクセスして、ソースに含まれるアドレスをもとにコンテンツのデータを取得するようにしてもよい。
【０２２８】
［３−５．変形例５］
さらに上述した実施の形態では、ＴＶ画面上で選択された操作対象であるオブジェクトの種類に応じて、リモコン画面に表示する情報を決定するようにした。
【０２２９】
これに限らず、オブジェクトの様々な属性に応じて、リモコン画面に表示する情報を決定するようにしてもよい。
【０２３０】
例えば、テキストボックスが選択されたときに、そのテキストボックスに入力すべき情報に応じて、リモコン画面に表示する情報を決定するようにしてもよい。
【０２３１】
具体的には、入力すべき情報が秘匿性の高い情報（パスワードやクレジットカードの番号など）である場合には、テキストボックスとソフトウェアキーボードをリモコン画面に表示させて、リモコン画面上でテキスト入力を行うことができるようにする。
【０２３２】
この場合、入力対象が秘匿性の高い情報でなければ、リモコン画面には何も表示させず、ＴＶ画面上で直接テキストボックスへのテキスト入力を行うことができるようにする。
【０２３３】
また、例えば、リストボックスが選択されたときに、そのリストボックスに対応付けられているリストの項目数に応じて、リモコン画面に表示する情報を決定するようにしてもよい。
【０２３４】
具体的には、例えば、リストの項目数が所定数以上の場合には、リモコン画面に表示させる情報をこのリストとし、所定数未満の場合には、リモコン画面に表示させる情報を無しとする。この場合、リストは、ＴＶ画面に表示するようにする。
【０２３５】
さらに、例えば、表示ボタンが選択されたときに、その表示ボタンに対応付けられているウインドウの表示サイズに応じて、リモコン画面に表示する情報を決定するようにしてもよい。
【０２３６】
具体的には、例えば、ウインドウの表示サイズが所定サイズ（例えばリモコン画面の表示サイズ）以下の場合には、リモコン画面に表示させる情報をこのウインドウとし、所定サイズを超える場合には、リモコン画面に表示させる情報を無しとする。この場合、ウインドウは、ＴＶ画面に表示するようにする。
【０２３７】
［３−６．変形例６］
さらに上述した実施の形態では、ＴＶ画面に表示したＷｅｂページ上のオブジェクトが選択されたときに、オブジェクトの種類に応じて、リモコン画面に表示させる情報を決定するようにした。これに限らず、ＴＶ画面に表示したこの他種々のアプリケーション画面上の種々の操作対象が操作されたときに、操作対象の属性に応じて、リモコン画面に表示させる情報を決定するようにしてもよい。
【０２３８】
［３−７．変形例７］
さらに上述した実施の形態では、ＴＶ受像機１００のディスプレイ１００Ａと、リモコン１０１のタッチスクリーン１０１Ａの２つの表示部を有するＴＶシステム１０２に本発明を適用するようにした。
【０２３９】
これに限らず、本発明を、２つの表示部を有する他のシステムや装置に適用するようにしてもよく、また適用することができる。
【０２４０】
例えば、ノートブック型のパーソナルコンピュータと携帯電話機とで構成されるシステムに適用したり、モニタに接続された据置型のゲーム機と携帯型ゲーム機とで構成されるシステムに適用したり、２つの表示部を有する１台の装置に適用したりしてもよい。
【０２４１】
［３−８．変形例８］
さらに、上述した実施の形態では、リモコン１０１に、表示パネル１３３とタッチパネル１３４とで構成されるタッチスクリーン１０１Ａを設けるようにした。
【０２４２】
これに限らず、タッチスクリーン１０１Ａの代わりに、タッチパネルの機能を有するディスプレイをリモコン１０１に設けるなどしてもよい。
【０２４３】
さらに表示パネル１３３についても、液晶ディスプレイ、ＥＬ（Electroluminescence  display）ディスプレイ等、種々のディスプレイを用いるようにしてもよい。
【０２４４】
さらに操作部と表示部とを兼用したデバイスに限らず、例えば、表示パネルと操作ボタンとを個別にリモコン１０１に設けるようにしてもよい。
【０２４５】
［３−９．変形例９］
さらに上述した実施の形態では、情報処理装置及び第１の装置としてのＴＶ受像機１００に、第１の表示部としてのディスプレイ１００Ａと、制御部及び第１の制御部としてのＣＰＵ１１０と、通信部及び第１の通信部としての無線Ｉ／Ｆ１１３を設けるようにした。
【０２４６】
本発明はこれに限らず、同様の機能を有するのであれば、上述したＴＶ受像機１００の各機能部（第１の表示部、制御部及び第１の制御部、通信部及び第１の通信部）を、他の種々のハードウェアにより構成するようにしてもよい。
【０２４７】
また、同様の機能を有していれば、ＴＶ受像機１００に限らず、モニタに接続されたパーソナルコンピュータ、ビデオレコーダ、ゲーム機などに本発明を適用するようにしてもよい。
【０２４８】
一方、情報処理装置及び第２の装置としてのリモコン１０１に、第２の表示部としてのタッチスクリーン１０１Ａと、制御部及び第２の制御部としてのＣＰＵ１３０と、通信部及び第２の通信部としての無線Ｉ／Ｆ１３５を設けるようにした。
【０２４９】
本発明はこれに限らず、同様の機能を有するのであれば、上述したリモコン１０１の各機能部（第２の表示部、制御部及び第２の制御部、通信部及び第２の通信部）を、他の種々のハードウェアにより構成するようにしてもよい。
【０２５０】
また、同様の機能を有していれば、リモコン１０１に限らず、スマートフォン、携帯型ゲーム機、タブレット型コンピュータなどに本発明を適用するようにしてもよい。
【０２５１】
［３−１０．変形例１０］
さらに上述した実施の形態では、各種処理を実行するためのプログラムを、ＴＶ受像機１００の不揮発性メモリ１１１に書き込んでおくようにした。
【０２５２】
これに限らず、例えば、ＴＶ受像機１００にメモリカードなどの記憶媒体のスロットを設け、ＣＰＵ１１０が、このスロットに差し込まれた記憶媒体からプログラムを読み出して実行するようにしてもよい。またＣＰＵ１１０が、この記憶媒体から読み出したプログラムを、不揮発性メモリ１１１にインストールするようにしてもよい。さらにＣＰＵ１１０が、このプログラムを、ネットワークインタフェース１２１を介して、ネットワーク上の機器からダウンロードして、不揮発性メモリ１１１にインストールするようにしてもよい。
【０２５３】
リモコン１０１についても同様であり、例えば、無線Ｉ／Ｆ１３５を介して、外部の機器からプログラムをダウンロードして、不揮発性メモリ１３１にインストールするようにしてもよい。
【０２５４】
［３−１１．変形例１１］
さらに、本発明は、上述した実施の形態と変形例とに限定されるものではない。すなわち本発明は、上述した実施の形態と変形例の一部または全部を任意に組み合わせた形態、もしくは一部を抽出した形態にもその適用範囲が及ぶものである。
【産業上の利用可能性】
【０２５５】
本発明は、複数の表示部を有するシステム及び装置で広く利用することができる。
【符号の説明】
【０２５６】
１……情報処理システム、２……第１の表示部、３……第１の装置、４……第２の表示部、５……第２の装置、６、９……制御部、７、８……通信部、１００……ＴＶ受像機、１００Ａ……ディスプレイ、１０１……リモコン、１０１Ａ……タッチスクリーン、１０２……ＴＶシステム、１１０、１３０……ＣＰＵ、１１３、１３５……無線Ｉ／Ｆ。
【図１】
0005772023.tif 000002
【図２】
0005772023.tif 000003
【図３】
0005772023.tif 000004
【図４】
0005772023.tif 000005
【図５】
0005772023.tif 000006
【図６】
0005772023.tif 000007
【図７】
0005772023.tif 000008
【図８】
0005772023.tif 000009
【図９】
0005772023.tif 000010
【図１０】
0005772023.tif 000011
【図１１】
0005772023.tif 000012
【図１２】
0005772023.tif 000013
【図１３】
0005772023.tif 000014